(57)【特許請求の範囲】
【請求項１】
出し入れ用の開閉扉が設けられた前板のほかに、両側板及び後板とで外周壁が形成された洗濯機本体内に支持されたフード部を有する水槽と、水槽の内側で駆動モータにより水平軸を中心として回転自在に制御される洗い兼脱水ドラムを備えたドラム式洗濯機において、前記洗濯機本体の前板と、前記フード部とを取外し自在に取付ける一方、前記洗い兼脱水ドラムを前方へ取出し可能に装着したことを特徴とするドラム式洗濯機。
【請求項２】
洗い兼脱水ドラムは、水平軸に前方向から取付ねじによりねじ止めされていることを特徴とする請求項１記載のドラム式洗濯機。
【発明の詳細な説明】
【０００１】
【発明の属する技術分野】
この発明は、洗濯から乾燥まで行なうドラム式洗濯機に関する。
【０００２】
【従来の技術】
一般に、ドラム式洗濯機にあっては、出し入れ用の開閉扉が設けられた前板のほかに、両側板及び後板とで外周壁が形成された洗濯機本体内に、サスペンションによって支持された水槽と、水槽の内側で駆動モータにより水平軸を中心として回転自在に制御される洗い兼脱水ドラムが設けられている。そのほかに、循環、排水用のポンプ、加熱用のヒータ等の機能部品が設けられた構造となっており、洗濯機据付け場合のコーナ壁、あるいは、壁面一杯にセットして使用する。
【０００３】
【発明が解決しようとする課題】
洗濯機本体内に設けられた各機能部品の補修・点検は、後板に設けられた後蓋を外すことで作業口が形成され、その作業口から補修・点検が行なわれる。
【０００４】
このために、作業し易いように洗濯機本体を動かす必要があるが、洗濯から乾燥まで行なうドラム式洗濯機は、重量があるため、動かす作業が大変である。また、動かしても作業スペースが狭い場合には、広い場所へ移動しなければならない。いずれにしても、重量のある洗濯機本体を動かさなければならず補修・点検作業が大変面倒であった。
【０００５】
そこで、この発明は、洗濯機本体を動かさずに補修・点検作業が行なえるようにしたドラム式洗濯機を提供することを目的としている。
【０００６】
【課題を解決するための手段】
前記目的を達成するために、この発明は、出し入れ用の開閉扉が設けられた前板のほかに、両側板及び後板とで外周壁が形成された洗濯機本体内に支持されたフード部を有する水槽と、水槽の内側で駆動モータにより水平軸を中心として回転自在に制御される洗い兼脱水ドラムを備えたドラム式洗濯機において、前記洗濯機本体の前板と、前記フード部とを取外し自在に取付ける一方、前記洗い兼脱水ドラムを前方へ取出し可能に装着する。
【００１１】
好ましい実施形態として、洗い兼脱水ドラムを、水平軸に前方向から取付ねじによりねじ止めする。
【００１２】
これにより、洗濯機本体を動かすことなく前板を取外せば、洗い兼脱水ドラムを、前方へ取出せるようになり、水槽とドラムの間に入った異物の取出し、又は洗い兼脱水ドラムの補修・点検が容易に行なえる。
【００１３】
【発明の実施の形態】
以下、図１乃至図８の図面を参照しながらこの発明の実施の形態を具体的に説明する。
【００１４】
図１において、１はドラム式洗濯機３の外箱となる洗濯機本体を示している。洗濯機本体１は、出し入れ用の開閉扉５を有する前板７と、左右の側板９，９と、後板１１とで外周壁が形成されると共に、上方には天板１３が、下方には床板１５がそれぞれ設けられた構造となっている。
【００１５】
洗濯機本体１内には、水槽１７と、水槽１７の内側で水平軸１９を中心として回転自在に支持された洗い兼脱水ドラム２１と、洗い兼脱水ドラム２１に回転動力を与える駆動モータ２３が設けられている。その外に、水槽１７の上部には、乾燥風循環用ダクト２５が、水槽１７の下部には、循環用及び排水用のポンプ２７，２９、水加温用ヒータ３１、リントフィルタ３３等が設けられている。なお、乾燥風循環用ダクト２５には、乾燥風を循環させる送風機、熱風を生成するヒータ、水分を除湿する除湿器（いずれも図示していない）が配置されている。
【００１６】
水槽１７は、サスペンション３５によって支持された支持ブラケット３７に載置セットされると共に、水平軸１９に、後方の軸受ハウジング３９を介して回転自在に支持されている。軸受ハウジング３９は、ベアリング軸受４１に固定ねじ４３により支持され、ベアリング軸受４１と水平軸１９の間にはベアリング４５が圧入されている。これにより、円滑な回転が確保され、水平軸１９からの騒音の低減が図られている。
【００１７】
水平軸１９は、背面側にプーリ４６が装着される一方、前面側には、洗い兼脱水ドラム２１のドラム支持部材４７が前方から取付ねじ４９によりねじ止めされている。
【００１８】
したがって、図８に示す如く取付ねじ４９を取外すことで洗い兼脱水ドラム２１の取外しが可能となる。
【００１９】
この場合、水槽１７の前面開口フード部１７ａは、本体胴部１７ｂに対して係止部５１により着脱自在に係合され、洗い兼脱水ドラム２１の取外し前段工程において、予め取外すようになる。
【００２０】
水平軸１９の背面側に装着されたプーリ４６には、支持ブラケット３７に固定支持された駆動モータ２３のモータプーリ５３からベルト５５を介して回転動力が与えられるようになっている。
【００２１】
一方、洗濯機本体１の外周壁を形成する左右の側板９，９と後板１１とは平面からみてコ字状に一体に連続成形され、前板７は、両側板９，９に対して着脱自在に取付けられている。
【００２２】
前板７の上部には、操作パネル部５７と洗剤投入ケース部５９がそれぞれ配置されている。
【００２３】
図１に示す如く、操作パネル部５７の制御部には各操作釦６１の選択によって洗濯から乾燥まで行なう運転モード６３と、各操作釦６１の選択によって洗濯から乾燥までの検査を行なう運転検査モード６５が入力されており、運転検査モード６５は、常時はオフ状態となっている。
【００２４】
前板７は、プリコート鋼板、又は、プラスチックで形成されると共に、運転検査モード６５をオンとするスイッチを兼ねる構造となっている。即ち、前板７が取付けられている時、操作パネル部５７に設けられたスイッチ端子Ｓを押圧して運転検査モード６５のオフの状態を確保すると共に、前板７を取外した時、スイッチ端子Ｓの押圧をやめることで、運転検査モード６５のオンの状態が確保されるようになっている。
【００２５】
前板７の外周フランジ７ａの奥行き寸法ａは、側板９の奥行き寸法ｂより短く設定され、側板９に設けられた取付フランジ６７に、前板７の外周フランジ７ａが取付ねじ６９により着脱自在に取付けられている。
【００２６】
したがって、取付ねじ６９を取外すことで、洗濯機本体１の前面に大きな作業空間７１が作られるようになる。
【００２７】
なお、図６において、７３は後板１１に設けられた後蓋を示しており、後板１１に対して着脱自在に取付けられている。
【００２８】
このように構成されたドラム式洗濯機３によれば、通常は、各操作釦６１を選択して操作することで運転モード６３による洗濯から乾燥までが行なえる。
【００２９】
一方、補修・点検を行なう場合には、前板７を取外せば、前面に作業空間７１が作られるようになる。したがって、洗濯機本体１を動かすことなく前面側から補修・点検が行なえる。
【００３０】
また、図８に示す如く、洗い兼脱水ドラム２１を前方から取出すようにすれば、水槽１７とドラム２１の間に入った異物の取出しや、水槽１７の底部に設置された水加熱用ヒータ３１の修理・点検が容易に行なえる。
【００３１】
また、運転検査モード６５によって、直接目で確認しながら、給水、排水、ドラム回転、水洩れの有無、循環水の挙動、脱水時の振動等の確認及び配線と他の部品との干渉対策作業が容易に行なえるようになる。
【００３２】
【発明の効果】
以上、説明したように、この発明のドラム式洗濯機によれば、次のような効果を奏する。
【００３３】
（１）前板及びフード部をそれぞれ取外すことができるため、洗濯機本体を動かすことなく洗い兼脱水ドラムを前方から取出せるため、広い開放空間によって水槽とドラムの間に異物が入った場合の取出しや、水槽の底部に設置された水加熱用ヒータの修理・点検が容易に行なうことができる。
【図面の簡単な説明】
【図１】この発明にかかるドラム式洗濯機の概要切断面図。
【図２】洗濯機本体の分解斜視図
【図３】前板を取外したドラム式洗濯機の概要正面図。
【図４】ドラム式洗濯機の概要正面図。
【図５】ドラム式洗濯機の概要側面図。
【図６】ドラム式洗濯機の概要背面図。
【図７】図１Ａの拡大図。
【図８】洗い兼脱水ドラムを前面から取り出した説明図。
【符号の説明】
１  洗濯機本体
５  開閉扉
７  前板
９  側板
１１  後板
７１  作業空間
【図１】
0003544813.tif 000002
【図２】
0003544813.tif 000003
【図３】
0003544813.tif 000004
【図４】
0003544813.tif 000005
【図５】
0003544813.tif 000006
【図６】
0003544813.tif 000007
【図７】
0003544813.tif 000008
【図８】
0003544813.tif 000009